(57)【要約】【課題】防滑性能に優れ、かつ履き心地のよいゴルフ靴の提供。【解決手段】ゴルフ靴のアウトソール１０は、ベース１６と、このベース１６の底面から下方に突出する多数の突起１８とを有する。ベース１６の底面の、長さ方向においてトウサイドの端１２からの距離が長さＬの１０％以上４０％以下であり、底面に画かれうる最長線Ｌ１よりも幅方向においてアウトサイドであるゾーンＺにおける、底面の面積Ｓに対する、底面のうち突起１８で覆われた部分の面積Ｓ１の比率Ｐ１は、２０％以上である。ゾーンＺには、その接地面の面積ｓ２が１ｍｍ２以上３６ｍｍ２以下である突起１８が、１０個以上存在する。ゾーンＺにおける全ての突起１８の接地面の合計面積Ｓ２の、面積Ｓ１に対する比率Ｐ２は、４５％以下である。突起のアスカーＡ硬度は、５０以上である。【選択図】図２
2013208138.tif 000002
【特許請求の範囲】
【請求項１】
ベースと、このベースの底面から下方に突出する多数の突起とを有するアウトソールを備えており、
上記ベースの底面の、長さ方向においてトウサイドの端からの距離が長さの１０％以上４０％以下であり、上記底面に画かれうる最長線よりも幅方向においてアウトサイドであるゾーンにおける、上記底面の面積Ｓに対する、上記底面のうち上記突起で覆われた部分の面積Ｓ１の比率Ｐ１が、２０％以上であり、
上記ゾーンに、その接地面の面積ｓ２が１ｍｍ２以上３６ｍｍ２以下である突起が１０個以上存在しているゴルフ靴。
【請求項２】
上記ゾーンにおける全ての突起の接地面の合計面積Ｓ２の、上記面積Ｓ１に対する比率Ｐ２が、４５％以下である請求項１に記載のゴルフ靴。
【請求項３】
上記突起のアスカーＡ硬度が５０以上である請求項１又は２に記載のゴルフ靴。
【発明の詳細な説明】
【技術分野】
【０００１】
本発明は、ゴルフ靴に関する。詳細には、本発明は、ゴルフ靴のアウトソールの改良に関する。
【背景技術】
【０００２】
ゴルファーがゴルフボールを打撃するとき、左右の爪先を結ぶ線が目標方向とほぼ平行となるようにアドレスする。右利きのゴルファーのアドレスでは、左足が目標方向前側に位置し、右足が目標方向後側に位置する。アドレスでは、ゴルフクラブのヘッドはゴルフボールの近くに位置する。この状態からゴルファーはテイクバックを開始し、ヘッドを後へ、次いで上方へと振り上げる。最もヘッドが振り上げられた位置がトップ位置である。トップ位置からダウンスイングが開始される。ダウンスイングの開始は、「切り返し」と称されている。切り返しの後、ヘッドが振り下ろされてヘッドがゴルフボールとインパクトする。インパクト後、ゴルファーはゴルフクラブを前方へ、次いで上方へと振り抜き、フィニッシュを迎える。
【０００３】
右利きのゴルファーは、トップ位置からフィニッシュにかけて、左足を軸としてボディターンを行う。同時にゴルファーは、右足で地面を蹴ってその力をゴルフボールに伝える。右利きのゴルファーは、左足を軸足として使い、右足を蹴足として使う。左利きゴルファーの場合は、右足を軸足として使い、左足を蹴足として使う。
【０００４】
軸足のアウトサイドには、インパクトからフィニッシュにかけて、大きな力がかかる。この力によって、軸足の靴が地面とスリップを起こすことがある。スリップが起こると、スイングフォームが乱れてミスショットが発生する。
【０００５】
蹴足のアウトサイドには、切り返しの前後において、大きな力がかかる。この力によって、蹴足の靴が地面とスリップを起こすことがある。スリップが起こると、スイングフォームが乱れてミスショットが発生する。
【０００６】
底面に金属又はセラミックからなるスパイクピンを備えたゴルフ靴が存在する。このスパイクピンは、スリップを防止する。しかし、このゴルフ靴では、スパイクピンがグリーン上の芝生、クラブハウスの床、ゴルフコース中に設けられた歩行用通路の路面等を傷める。スパイクピンを備えたゴルフ靴の使用を禁止しているゴルフ場が、多い。スパイクピンを備えたゴルフ靴では下からの突き上げ感があり、ゴルファーにとって履き心地のよいものではない。突き上げ感は、ゴルファーの疲労感を増長する。スパイクピンを備えたゴルフ靴は、近年ではあまり用いられていない。
【０００７】
スパイクピンに代えて合成樹脂又はゴムからなる突起が底面に設けられたゴルフ靴が、普及している。軸足及び蹴足の役割に配慮がなされて突起が配置されたゴルフ靴が、特開２００１−２９９４０６公報に開示されている。
【先行技術文献】
【特許文献】
【０００８】
【特許文献１】特開２００１−２９９４０６公報
【発明の概要】
【発明が解決しようとする課題】
【０００９】
合成樹脂又はゴムからなる突起を有するゴルフ靴でも、突き上げ感の解消は不十分である。本発明の目的は、防滑性能に優れ、かつ履き心地のよいゴルフ靴の提供にある。
【課題を解決するための手段】
【００１０】
本発明に係るゴルフ靴は、ベースと、このベースの底面から下方に突出する多数の突起とを有するアウトソールを備える。ベースの底面の、長さ方向においてトウサイドの端からの距離が長さの１０％以上４０％以下であり、底面に画かれうる最長線よりも幅方向においてアウトサイドであるゾーンにおける、底面の面積Ｓに対する、底面のうち突起で覆われた部分の面積Ｓ１の比率Ｐ１は、２０％以上である。このゾーン内には、その接地面の面積ｓ２が１ｍｍ２以上３６ｍｍ２以下である突起が、１０個以上存在する。
【００１１】
好ましくは、上記ゾーンにおける全ての突起の接地面の合計面積Ｓ２の、面積Ｓ１に対する比率Ｐ２は、４５％以下である。
【００１２】
好ましくは、突起のアスカーＡ硬度は、５０以上である。
【発明の効果】
【００１３】
本発明に係るゴルフ靴では、接地面の面積が１ｍｍ２以上３６ｍｍ２以下である突起によってスリップが抑制される。このゴルフ靴では、比率Ｐ１が２０％以上なので、荷重に対する地面からの反力が、集中しない。このゴルフ靴を着用したゴルファーは、突き上げ感を感じにくい。このゴルフ靴は、履き心地に優れる。
【図面の簡単な説明】
【００１４】
【図１】図１は、本発明の一実施形態に係るゴルフ靴が示された側面図である。
【図２】図２は、図１のゴルフ靴のアウトソールが示された底面図である。
【図３】図３は、図２のアウトソールの突起が示された拡大底面図である。
【図４】図４は、図３のIV−IV線に沿った断面図である。
【図５】図５は、図３のＶ−Ｖ線に沿った断面図である。
【図６】図６は、右足用のゴルフ靴のアウトソールが示された底面図である。
【発明を実施するための形態】
【００１５】
以下、適宜図面が参照されつつ、好ましい実施形態に基づいて本発明が詳細に説明される。
【００１６】
図１に示されたゴルフ靴２は、アッパー４及びソール６を備えている。ソール６は、インソール（図示されず）、ミッドソール８及びアウトソール１０からなる。
【００１７】
アッパー４には、既知の材料が用いられる。天然皮革、合成皮革、人工皮革、織布等が、アッパー４に用いられうる。アッパー４の内面に、内材が貼り付けられてもよい。典型的な内材は、織布である。内材として、透湿防水材料が用いられてもよい。典型的な透湿防水材料は、ゴアテックス（登録商標）からなるブーティである。
【００１８】
ミッドソール８は、発泡体からなる。好ましくは、ミッドソール８は、多数の独立気泡を含む。着地時に、ミッドソール８は圧縮変形を起こす。この圧縮変形により、衝撃が吸収される。ミッドソール８における好ましい基材ポリマーは、エチレン−酢酸ビニル共重合体（ＥＶＡ）である。衝撃吸収性の観点から、ミッドソール８の硬度は７０以下が好ましく、６５以下が特に好ましい。強度の観点から、硬度は４０以上が好ましい。硬度は、「ＪＩＳ  Ｋ  ６２５３」の規定に準拠して、タイプＡのデュロメーターにて測定される。
【００１９】
アウトソール１０は、ミッドソール８の下側に位置している。アウトソール１０は、ミッドソール８と接合されている。接合は、接着剤によって達成されうる。
【００２０】
図２において、符号Ｘで示されているのはアウトソール１０の幅方向であり、符号Ｙで示されているのはアウトソール１０の長さ方向である。このアウトソール１０は、左足用である。図２において、左側がインサイドであり、右側がアウトサイドであり、上側がトウサイドであり、下型がヒールサイドである。図２において符号Ｌ１で示されているのは、長さ線である。長さ線Ｌ１は、底面視において、アウトソール１０の輪郭内に画かれうる最長の線である。長さ線Ｌ１は、トウサイドの端１２からヒールサイドの端１４にまで至っている。長さ線Ｌ１の長さは、符号Ｌで示されている。Ｙ方向（長さ方向）は、長さ線Ｌ１の方向と一致している。Ｘ方向（幅方向）は、長さ線Ｌ１の方向と直交している。
【００２１】
このアウトソール１０は、ベース１６と、多数の突起１８とを有する。それぞれの突起１８は、ベース１６の底面２０（図１参照）から下方に突出している。突起１８は、ベース１６と一体的に成形されている。突起１８がベース１６とは別に成形されてもよい。ベース１６とは別に成形された突起１８は、接着剤によってベース１６に接合されうる。
【００２２】
ベース１６及び突起１８は、架橋ゴムからなる。好ましい基材ゴムとして、天然ゴム、イソプレンゴム、ブタジエンゴム、スチレン−ブタジエンゴム、アクリロニトリル−ブタジエンゴム及びウレタンゴムが例示される。ベース１６及び突起１８が、合成樹脂又はエラストマーからなってもよい。ベース１６が架橋ゴムからなり、突起１８が合成樹脂又はエラストマーからなってもよい。
【００２３】
図２のアウトソール１０は、右利きのゴルファーに適している。このアウトソール１０を備えたゴルフ靴２は、右利きゴルファーの軸足（左足）に着用される。図２から明らかなように、多数の突起１８が、トウ方向に凸な仮想の線に沿って並んでいる。これらの突起１８により、ゴルフ靴２のトウ側へのスリップが抑制される。
【００２４】
図３から５に示されるように、突起１８は、接地面２２、インサイド壁２４、アウトサイド壁２６、トウサイド壁２８及びヒールサイド壁３０を備えている。インサイド壁２４は、第一起立面３２及び第一スロープ面３４を有している。アウトサイド壁２６は、第二起立面３６及び第二スロープ面３８を有している。ヒールサイド壁３０は、第三起立面４０及び第三スロープ面４２を有している。
【００２５】
接地面２２は、実質的に水平方向に延在している。トウサイド壁２８は、実質的に鉛直方向に延在している。このトウサイド壁２８により、ゴルフ靴２のトウ側へのスリップが抑制される。第一起立面３２、第二起立面３６及び第三起立面４０は、それぞれ、実質的に鉛直方向に延在している。第一スロープ面３４、第二スロープ面３８及び第三スロープ面４２は、それぞれ、鉛直方向に対して傾斜している。傾斜の方向は、地面の方向に向かって先細りである。
【００２６】
図４及び５における二点鎖線４４は、ベース１６と突起１８との境界面を表している。境界面４４は、底面２０のうち、突起１８で覆われた部分である。本明細書では、この突起１８で覆われた部分の面積は、ｓ１で表される。本明細書では、接地面２２の面積は、ｓ２で表される。
【００２７】
図２において符号Ｌ２で示されているのは、アウトソール１０のアウトサイドの端４６を通過し、長さ線Ｌ１に平行な線である。符号Ｌ３で示されているのは、長さ線Ｌ１と直交し、かつトウサイドの端１２からの距離が長さＬの１０％である線である。符号Ｌ４で示されているのは、長さ線Ｌ１と直交し、かつトウサイドの端１２からの距離が長さＬの４０％である線である。
【００２８】
本明細書では、ベース１６の底面２０のうち、線Ｌ１、Ｌ２、Ｌ３及びＬ４に囲まれたゾーンＺの面積は、Ｓで表される。
【００２９】
このゾーンＺに存在する突起１８の面積ｓ１の合計は、Ｓ１で表される。境界面４４の一部がゾーンＺに含まれる突起１８の場合、このゾーンＺに含まれる部分の面積のみが、合計面積Ｓ１に算入される。
【００３０】
このゾーンＺに存在する突起１８の面積ｓ２の合計は、Ｓ２で表される。接地面２２の一部がゾーンＺに含まれる突起１８の場合、このゾーンＺに含まれる部分の面積のみが、合計面積Ｓ２に算入される。
【００３１】
このゾーンＺに存在する１つの突起１８の接地面２２の面積ｓ２は、３６ｍｍ２以下が好ましい。この面積ｓ２が３６ｍｍ２以下であるゴルフ靴２では、突起１８が地面に突き刺さりやすい。突起１８が地面に突き刺さるゴルフ靴２は、防滑性能に優れる。この観点から、面積ｓ２は２４ｍｍ２以下がより好ましく、９ｍｍ２以下が特に好ましい。突起１８の強度の観点から、この面積ｓ２は１ｍｍ２以上が好ましい。
【００３２】
ゾーンＺに存在する、その面積ｓ２が上記範囲内である突起１８の数は、１０以上が好ましい。この数が１０以上であるゴルフ靴２は、防滑性能に優れる。この観点から、数は１２以上がより好ましく、２４以上が特に好ましい。突起１８の強度の観点から、数は２００個以下が好ましい。その接地面２２の面積の５０％以上がゾーンＺの中に存在する突起１８は、ゾーンＺに存在する突起１８である。その接地面２２の面積の５０％超がゾーンＺの外に存在する突起１８は、ゾーンＺに存在しない突起１８である。
【００３３】
ゾーンＺに、その面積ｓ２が３６ｍｍ２を超える突起が存在しないことが好ましい。
【００３４】
上記面積Ｓに対する、上記面積Ｓ１の比率Ｐ１は、２０％以上が好ましい。この比率Ｐ１が２０％以上であるゴルフ靴２では、荷重に対する地面からの反力が、集中しない。このゴルフ靴２を着用したゴルファーでは、面積ｓ２が３６ｍｍ２以下であるにもかかわらず、ゴルファーが突き上げ感を感じにくい。このゴルフ靴２は、履き心地に優れる。この観点から、比率Ｐ１は３９％以上がより好ましく、７０％以上が特に好ましい。比率Ｐ１が１００％であってもよい。
【００３５】
合計面積Ｓ２の、面積Ｓ１に対する比率Ｐ２は、４５％以下が好ましい。この比率Ｐ２が４５％以下であるゴルフ靴２では、小さな面積ｓ２と、大きな比率Ｐ１とが両立される。このゴルフ靴２は、履き心地及び防滑性能の両方に優れる。この観点から、比率Ｐ２は４４％以下がより好ましく、１７％以下が特に好ましい。
【００３６】
突起１８のアスカーＡ硬度は、５０以上が好ましい。この突起１８は、地面に突き刺さりやすい。突起１８が地面に突き刺さるゴルフ靴２は、防滑性能に優れる。この観点から、この硬度は６０以上がより好ましく、７５以上が特に好ましい。突き上げ感の抑制の観点から、この硬度は８５以下が好ましい。アスカーＡ硬度は、タイプＡのデュロメータによって測定される。測定には、厚みが２ｍｍ以上であるシート状の試験片が用いられる。測定時には、３枚の試験片が重ねられる。突起が樹脂組成物からなる場合、この樹脂組成物と同じ樹脂組成物からなる試験片が用いられる。突起がゴム組成物が架橋されることで成形されている場合、このゴム組成物と同じゴム組成物が架橋されることで成形された試験片が用いられる。試験片の架橋温度は１６０℃であり、架橋時間は１０分である。測定では、デュロメータの押針の先端が、試験片の端から１２ｍｍ以上離れるようなサイズの試験片が用いられる。試験片は、固くて剛性があり平坦である下地の上に置かれる。押針が試験片の測定面に対して垂直となるように、デュロメータが保持される。この状態から、デュロメータの加圧面に衝撃が加わらない範囲でなるべく速やかに、この加圧面を試験片に密着させる。密着後１秒以内に、デュロメータのメモリを読む。
【００３７】
図６は、右足用のゴルフ靴のアウトソール４８が示された底面図である。図６において、左側がアウトサイドであり、右側がインサイドであり、上側がトウサイドであり、下型がヒールサイドである。図６において符号Ｌ５で示されているのは、長さ線である。長さ線の長さは、符号Ｌで示されている。
【００３８】
このアウトソール４８は、ベース５０と、多数の突起５２とを有する。それぞれの突起５２は、ベース５０の底面から下方に突出している。突起５２は、ベース５０と一体的に成形されている。突起５２がベース５０とは別に成形されてもよい。ベース５０とは別に成形された突起５２は、接着剤によってベース５０に接合されうる。ベース５０の材質は、図２に示されたベース１６のそれと同じである。突起５２の材質は、図２に示された突起１８の材質と同じである。
【００３９】
図６から明らかなように、多数の突起５２が、ヒール方向に凸な仮想の線に沿って並んでいる。これらの突起５２により、ゴルフ靴のヒール側へのスリップが抑制される。図６のアウトソール４８は、右利きのゴルファーに適している。
【００４０】
この突起５２も、図３−５に示された突起１８と同様、接地面、インサイド壁、アウトサイド壁、トウサイド壁及びヒールサイド壁を備えている。但し、図３−５に示された突起１８ではヒールサイドの壁３０がスロープ面４２を有しているのに対し、図６に示された突起５２ではトウサイドの壁がスロープ面を有している。図３−５に示された突起１８ではトウサイドの壁２８が鉛直方向に延在しているのに対し、図６に示された突起５２ではヒールサイドの壁が鉛直方向に延在している。このヒールサイドの壁により、ゴルフ靴のヒール側へのスリップが抑制される。
【００４１】
図６において符号Ｌ６で示されているのは、アウトソール４８のアウトサイドの端５４を通過し、長さ線Ｌ５に平行な線である。符号Ｌ７で示されているのは、長さ線Ｌ５と直交し、かつトウサイドの端５６からの距離が長さＬの１０％である線である。符号Ｌ８で示されているのは、長さ線Ｌ５と直交し、かつトウサイドの端５６からの距離が長さＬの４０％である線である。
【００４２】
本明細書では、ベース５０の底面のうち、線Ｌ５、Ｌ６、Ｌ７及びＬ８に囲まれたゾーンＺの面積は、Ｓで表される。
【００４３】
ベース５０と突起５２との境界面は、面積ｓ１を有する。ゾーンＺに存在する突起５２の面積ｓ１の合計は、Ｓ１で表される。境界面の一部がゾーンＺに含まれる突起５２の場合、このゾーンＺに含まれる部分の面積のみが、合計面積Ｓ１に算入される。
【００４４】
接地面は、面積ｓ２を有する。ゾーンＺに存在する突起５２の面積ｓ２の合計は、Ｓ２で表される。接地面の一部がゾーンＺに含まれる突起５２の場合、このゾーンＺに含まれる部分の面積のみが、合計面積Ｓ２に算入される。
【００４５】
このゾーンＺに存在する１つの突起５２の接地面の面積ｓ２は、３６ｍｍ２以下が好ましい。この面積ｓ２が３６ｍｍ２以下であるゴルフ靴では、突起５２が地面に突き刺さりやすい。突起５２が地面に突き刺さるゴルフ靴は、防滑性能に優れる。この観点から、面積ｓ２は２４ｍｍ２以下がより好ましく、９ｍｍ２以下が特に好ましい。突起５２の強度の観点から、この面積ｓ２は１ｍｍ２以上が好ましい。
【００４６】
ゾーンＺに存在する、その面積ｓ２が上記範囲内である突起５２の数は、１０以上が好ましい。この数が１０以上であるゴルフ靴は、防滑性能に優れる。この観点から、数は１２以上がより好ましく、２４以上が特に好ましい。突起５２の強度の観点から、数は２００個以下が好ましい。その接地面の面積の５０％以上がゾーンＺの中に存在する突起５２は、ゾーンＺに存在する突起５２である。その接地面の面積の５０％超がゾーンＺの外に存在する突起５２は、ゾーンＺに存在しない突起５２である。
【００４７】
ゾーンＺに、その面積ｓ２が３６ｍｍ２を超える突起が存在しないことが好ましい。
【００４８】
上記面積Ｓに対する、上記面積Ｓ１の比率Ｐ１は、２０％以上が好ましい。この比率Ｐ１が２０％以上であるゴルフ靴では、荷重に対する地面からの反力が、集中しない。このゴルフ靴を着用したゴルファーでは、面積ｓ２が３６ｍｍ２以下であるにもかかわらず、ゴルファーが突き上げ感を感じにくい。このゴルフ靴は、履き心地に優れる。この観点から、比率Ｐ１は３９％以上がより好ましく、７０％以上が特に好ましい。比率Ｐ１が１００％であってもよい。
【００４９】
合計面積Ｓ２の、面積Ｓ１に対する比率Ｐ２は、４５％以下が好ましい。この比率Ｐ２が４５％以下であるゴルフ靴では、小さな面積ｓ２と、大きな比率Ｐ１とが両立される。このゴルフ靴は、履き心地及び防滑性能の両方に優れる。この観点から、比率Ｐ２は４４％以下がより好ましく、１７％以下が特に好ましい。
【００５０】
突起５２のアスカーＡ硬度は、５０以上が好ましい。この突起５２は、地面に突き刺さりやすい。突起５２が地面に突き刺さるゴルフ靴は、防滑性能に優れる。この観点から、この硬度は６０以上がより好ましく、７５以上が特に好ましい。突き上げ感の抑制の観点から、この硬度は８５以下が好ましい。
【実施例】
【００５１】
以下、実施例によって本発明の効果が明らかにされるが、この実施例の記載に基づいて本発明が限定的に解釈されるべきではない。
【００５２】
［実施例１］
ポリブタジエンが基材ゴムであるゴム組成物を、モールドに投入した。このゴム組成物を加圧しかつ加熱して、ベース及び突起を有するアウトソールを成形した。このアウトソールに、アッパー、ミッドソール及びインソールをアッセンブリーし、実施例１のゴルフ靴の対を得た。この対は、右足用ゴルフ靴及び左足用ゴルフ靴からなる。それぞれのゴルフ靴では、ゾーンＺに６０個の突起が存在する。それぞれの突起の接地面の面積ｓ２は、４．５ｍｍ２である。このゴルフ靴では、ゾーンＺの面積Ｓは３３００ｍｍ２であり、面積Ｓ１は３２４０ｍｍ２であり、面積Ｓ２は２７０ｍｍ２である。従って、比率Ｐ１は９８％であり、比率Ｐ２は８％である。ベース及び突起のアスカーＡ硬度は、７５である。
【００５３】
［実施例２−４及び比較例１］
接地面の面積ｓ２を下記の表１に示される通りとした他は実施例１と同様にして、実施例２−４及び比較例１のゴルフ靴を得た。
【００５４】
［実施例５−７及び比較例２］
突起の個数を下記の表２に示される通りとした他は実施例１と同様にして、実施例５−７及び比較例２のゴルフ靴を得た。
【００５５】
［実施例８−１１］
他のゴム組成物を用いた他は実施例１と同様にして、実施例８−１１のゴルフ靴を得た。
【００５６】
［防滑性能］
ゴルフ靴を、ゴルファーに着用させた。このゴルファーに、水に濡れた人工芝の上で、ドライバーにてゴルフボールを打撃させた。このゴルファーに、防滑性能について、下記の基準に基づいて格付けさせた。この結果が、下記の表１−３に示されている。
Ａ：スリップしない
Ｂ：ややスリップする
Ｃ：スリップする
【００５７】
［履き心地］
ゴルフ靴をゴルファーに着用させ、歩行させた。このゴルファーに、履き心地について、下記の基準に基づいて格付けさせた。この結果が、下記の表１−３に示されている。
Ａ：突き上げ感がない
Ｂ：やや突き上げ感がある
Ｃ：突き上げ感がある
【００５８】
【表１】
2013208138.tif 000003
【００５９】
【表２】
2013208138.tif 000004
【００６０】
【表３】
2013208138.tif 000005
【００６１】
表１−３に示されるように、各実施例のゴルフ靴は防滑性能及び履き心地に優れる。この評価結果から、本発明の優位性は明らかである。
【産業上の利用可能性】
【００６２】
本発明に係るゴルフ靴は、ゴルフ場でのプレーのときに着用されうる。このゴルフ靴は、ドライビングレンジでのプラクティスのときにも着用されうる。
【符号の説明】
【００６３】
２・・・ゴルフ靴
４・・・アッパー
８・・・ミッドソール
１０・・・アウトソール
１６、５０・・・ベース
１８、５２・・・突起
２２・・・接地面
２４・・・インサイド壁
２６・・・アウトサイド壁
２８・・・トウサイド壁
３０・・・ヒールサイド壁
【図１】
2013208138.tif 000006
【図２】
2013208138.tif 000007
【図３】
2013208138.tif 000008
【図４】
2013208138.tif 000009
【図５】
2013208138.tif 000010
【図６】
2013208138.tif 000011